(57)【要約】【課題】バスバーに銅の酸化生成物が発生するのを低減し、バスバー間でのアーク（火花）の発生を防止することのできる電気接続箱を提供すること。【解決手段】絶縁基板２上に少なくとも２種類の異なる電位を持つ複数のバスバー３，４を配置してなるバスバー回路板１を縦置きに配設してなる電気接続箱において，低い電位を持つバスバー３と高い電位を持つバスバー４とが水平方向に隣接して設置されているバスバー配置を、前記低い電位を持つバスバー３を前記高い電位を持つバスバー４の鉛直方向上側に配置する。【選択図】　　　図１
2004104892.tif 000002
【特許請求の範囲】
【請求項１】
絶縁基板上に少なくとも２種類の異なる電位を持つ複数のバスバーを配置してなるバスバー回路板を縦置きに配設する電気接続箱において，
低い電位を持つバスバーと高い電位を持つバスバーとが水平方向に隣接して設置されているバスバー配置を、前記低い電位を持つバスバーを前記高い電位を持つバスバーの鉛直方向上側に配置することを特徴とする電気接続箱。
【請求項２】
絶縁基板上に少なくとも２種類の異なる電位を持つ複数のバスバーを配置してなるバスバー回路板を縦置きに配設する電気接続箱において，
前記絶縁基板の複数のバスバーの配置領域を低い電位を持つ第１のバスバーを配索する第１のエリアと高い電位を持つ第２のバスバーを配索する第２のエリアとに区分して配置したことを特徴とする電気接続箱。
【請求項３】
絶縁基板上に少なくとも２種類の異なる電位を持つ複数のバスバーを配置してなるバスバー回路板を縦置きに配設する電気接続箱において，
前記絶縁基板の複数のバスバーの配置領域を低い電位を持つ第１のエリアと高い電位を持つ第２のエリアとに区分し，
前記第１のエリアを前記絶縁基板の配置上、前記第２のエリアより鉛直方向上側に位置するように配置したことを特徴とする電気接続箱。
【発明の詳細な説明】
【０００１】
【発明の属する技術分野】
本発明は、ワイヤーハーネスの相互接続を行う電気接続箱に係り、特に、電圧の異なるバスバー間でのリークの発生箇所を削減させることのできる電気接続箱に関する。
【０００２】
【従来の技術】
ワイヤーハーネスの相互接続を行う電気接続箱は、上部ケースと下部ケースからなるケース本体を備え、このケース本体の内部にバスバー回路板が多層積層した状態で収容され、電気接続箱（バスバー回路板）が縦置きに配置されている。各バスバー回路板は、技術文献として明確に示されたものはないが、実際に使用されているものとして図３に示す如き構成を有している。すなわち、バスバー回路板１は、絶縁材によって構成される絶縁基板２に、低い電圧を供給するバスバー３と高い電圧を供給するバスバー４とを配設して構成されている。このバスバー３、バスバー４は、図示していないがバスバー回路板１に対して垂直方向の向きに複数の分岐タブを有し、これらは絶縁基板２のタブ挿通孔を貫通して上部ケースまたは下部ケースの外面に突出し、コネクタ結合部、ヒューズ結合部、リレー結合部などの各種結合部内に配列収納され、ワイヤーハーネス端末のコネクタ、ヒューズ、リレーなどの部品と接続される。絶縁基板２は、その板面に対向するリブ５によって区画形成されたバスバー配設溝を有し、このバスバー配設溝に配設されたバスバー３、バスバー４は溶着ボスにより固定される。
【０００３】
このような従来のバスバー回路板１にあっては、絶縁基板２にバスバー３、バスバー４をそれぞれ供給する電圧の電位差を考慮することなく設置している。このためバスバー回路板１にあっては、絶縁基板２上に、バスバー３とバスバー４とが整然とした状態で配設されていない。
【０００４】
【発明が解決しようとする課題】
このようなバスバー回路板１にあっては、電気接続箱内部に水分の浸入があると絶縁基板２に配設されているバスバー３、バスバー４の隣接しているバスバー間６Ａ、６Ｂ、６Ｃにおいてリークが発生する。このバスバー間におけるリークの発生は、バスバー３、４に銅の酸化生成物を生じさせる。この銅の酸化生成物の発生は、高い電圧を供給するバスバー４で多い。
【０００５】
この銅の酸化生成物は粉状のため、図４、図５に示す如く、電気接続箱内に浸入した水分７によってバスバー間６Ａ、６Ｂ、６Ｃのリブ５を乗り越えてバスバー３とバスバー４との間を流れる。また、この銅の酸化生成物は、導電性を有しているため、この銅の酸化生成物が水分と共にバスバー間６Ａ、６Ｂ、６Ｃ、６Ｄのリブ５を乗り越えて流れたとき、バスバー３とバスバー４との間でショート（短絡）を起こしアーク（火花）が発生する虞がある。このようにアーク（火花）が発生すると、それに接続されている素子、装置等に影響を与えてしまう恐れがある。
【０００６】
特に、図３に図示のバスバー間６Ａでは、高い電位を持つバスバー４Ａが低い電位を持つバスバー３Ａ−１の位置より図示矢印で示す鉛直方向上側に配置される場合がある。この場合、高い電位を持つバスバー４Ａで生じた銅の酸化生成物が浸入した水分と一緒に流れ、リブを乗り越え低い電位を持つバスバー３Ａ−１側に流れる。したがって、バスバー間６Ａでは、バスバー４とバスバー３の間で電位差があることによって、バスバー間ショート（短絡）を起こしアーク（火花）が発生する可能性がある。
【０００７】
本発明の目的は、バスバーに銅の酸化生成物が発生するのを低減し、バスバー間でのアーク（火花）の発生を防止することのできる電気接続箱を提供することにある。
【０００８】
【課題を解決するための手段】
上記課題を解決するため請求項１記載の電気接続箱は、絶縁基板上に少なくとも２種類の異なる電位を持つ複数のバスバーを配置してなるバスバー回路板を縦置きに配設する電気接続箱において，
低い電位を持つバスバーと高い電位を持つバスバーとが水平方向に隣接して設置されているバスバー配置を、前記低い電位を持つバスバーを前記高い電位を持つバスバーの鉛直方向上側に配置することを特徴とするものである。
このように構成することにより、請求項１に記載された本発明によれば、高い電位を持つバスバーで発生した銅の酸化生成物を低い電位を持つバスバー側に浸入した水分で流すことがないため、バスバー間でのアーク（火花）の発生を防止することができる。
【０００９】
上記課題を解決するため請求項２記載の電気接続箱は、絶縁基板上に少なくとも２種類の異なる電位を持つ複数のバスバーを配置してなるバスバー回路板を縦置きに配設する電気接続箱において，
前記絶縁基板の複数のバスバーの配置領域を低い電位を持つ第１のバスバーを配索する第１のエリアと高い電位を持つ第２のバスバーを配索する第２のエリアとに区分して配置したことを特徴とするものである。
このように構成することにより、請求項２に記載された本発明によれば、バスバーに銅の酸化生成物が発生するのを低減し、バスバー間でのアーク（火花）の発生を防止することができる。
【００１０】
上記課題を解決するため請求項３記載の電気接続箱は、絶縁基板上に少なくとも２種類の異なる電位を持つ複数のバスバーを配置してなるバスバー回路板を縦置きに配設する電気接続箱において，
前記絶縁基板の複数のバスバーの配置領域を低い電位を持つ第１のエリアと高い電位を持つ第２のエリアとに区分し，
前記第１のエリアを前記絶縁基板の配置上、前記第２のエリアより鉛直方向上側に位置するように配置したことを特徴とするものである。
このように構成することにより、請求項３に記載された本発明によれば、低い電位を持つバスバーの配置エリアを高い電位を持つバスバーの配置エリアと分離して高い電位を持つバスバーの配置エリアより鉛直方向上側に配置しているため、高い電位を持つバスバーで発生した銅の酸化生成物を低い電位を持つバスバー側に流すことがないため、バスバー間でのアーク（火花）の発生を防止することができる。
【００１１】
【発明の実施の形態】
以下、図面を参照して本発明の実施の形態を説明する。
図１は本発明に係る電気接続箱の一実施の形態を示すバスバー回路板が示されている。
【００１２】
図１に図示の本発明に係る電気接続箱の一実施の形態は、絶縁基板２上に少なくとも２種類の異なる電位を持つ複数のバスバー３、４を配置してなるバスバー回路板１を、電気接続箱を縦置きに配置することにより縦置き配設（図１中、上側を鉛直方向上側に配置）し、低い電位を持つバスバー３と高い電位を持つバスバー４とが水平方向に隣接して設置されているバスバー３Ａ−１とバスバー４Ａの配置を、低い電位を持つバスバー３Ａ−１を高い電位を持つバスバー４Ａの鉛直方向上側に配置するようにしたものである。
【００１３】
すなわち、図１において、バスバー回路板１のバスバー３Ａ−１とバスバー４Ａの配置は、低い電位を持つバスバー３Ａ−１を高い電位を持つバスバー４Ａの鉛直方向上側に配置してある。これは、図３に図示の従来例として示したバスバー回路板１のバスバー３Ａ−１とバスバー４Ａの配置関係とは異なっている。すなわち、図３に図示の従来例として示したバスバー回路板１のバスバー３Ａ−１とバスバー４Ａの配置関係は、高い電位を持つバスバー４Ａが低い電位を持つバスバー３Ａ−１の位置より鉛直方向上側に配置してある。この従来例のバスバー３Ａ−１とバスバー４Ａの配置を設計変更して、低い電位を持つバスバー３Ａ−１を高い電位を持つバスバー４Ａの鉛直方向上側に配置したものである。
【００１４】
したがって、本実施の形態によれば、浸入した水分で、高い電位を持つバスバー４Ａで発生した銅の酸化生成物を低い電圧を供給するバスバー３Ａ−１側に流すことをなくすことができる。
【００１５】
図２は本発明に係る電気接続箱の他の実施の形態を示すバスバー回路板が示されている。
【００１６】
図２に図示の本発明に係る電気接続箱の他の実施の形態は、絶縁基板上に少なくとも２種類の異なる電位を持つ複数のバスバーを配置してなるバスバー回路板を縦置きに配設し、絶縁基板の複数のバスバーの配置領域を低い電位を持つ第１のエリアと高い電位を持つ第２のエリアとに区分し、第１のエリアを絶縁基板に配置する際に、第２のエリアより図示矢印で示す鉛直方向上側に配置したものである。
【００１７】
図２において、バスバー回路板１０は、絶縁材によって構成される絶縁基板１１を有し、この絶縁基板１１には、低い電位を持つ第１のエリア１２と、高い電位を持つ第２のエリア１３とが設けられている。この第１のエリア１２と第２のエリア１３は、絶縁基板１１上での配置関係が、第１のエリアが第２のエリアより鉛直方向上側に配置してある。そして、この第１のエリア１２には、低い電位を持つバスバー１４が配設されている。このバスバー１４は、図２では、バスバー１４Ａ、１４Ｂ、１４Ｃの３つのバスバーからなっている。すなわち、第１のエリア１２には、複数の低い電位を持つバスバー１４Ａ、１４Ｂ、１４Ｃを設けている。
また、第２のエリア１３には、高い電位を持つバスバー１５が配設されている。このバスバー１５は、図２では、全体がつながった１個のバスバーで構成されている。
【００１８】
絶縁基板１１は、第１のエリア１２及び第２のエリア１３に、それぞれその板面に対向するリブ１６、１７によって区画形成されたバスバー配設溝１８、１９を有し、このバスバー配設溝１８、１９に配設されたバスバー１４、バスバー１５は図示されていない溶着ボスにより固定されている。
【００１９】
したがって、本実施の形態によれば、低い電位を持つバスバーの配置エリアを高い電位を持つバスバーの配置エリアと分離して高い電位を持つバスバーの配置エリアより鉛直方向上側に配置しているため、高い電位を持つバスバーで発生した銅の酸化生成物を低い電圧を供給するバスバー側に流すことがないため、バスバー１４、１５に銅の酸化生成物が発生するのを低減し、バスバー１４、１５間でのアーク（火花）の発生を防止することができる。
【００２０】
【発明の効果】
以上説明したように構成されているので、以下のような効果を奏する。
【００２１】
請求項１に記載の発明によれば、高い電位を持つバスバーで発生した銅の酸化生成物を低い電位を持つバスバー側に浸入した水分で流すことがないため、バスバー間でのアーク（火花）の発生を防止することができる。
【００２２】
請求項２記載の発明によれば、バスバーに銅の酸化生成物が発生するのを低減し、バスバー間でのアーク（火花）の発生を防止することができる。
【００２３】
請求項３記載の発明によれば、低い電位を持つバスバーの配置エリアを高い電位を持つバスバーの配置エリアと分離して高い電位を持つバスバーの配置エリアより鉛直方向上側に配置しているため、高い電位を持つバスバーで発生した銅の酸化生成物を低い電位を持つバスバー側に流すことがないため、バスバー間でのアーク（火花）の発生を防止することができる。
【図面の簡単な説明】
【図１】本発明による電気接続箱の一実施の形態を示すバスバー回路板の正面図である。
【図２】本発明による電気接続箱の他の実施の形態を示すバスバー回路板の正面図である。
【図３】従来の電気接続箱のバスバー回路板の正面図である。
【図４】図３に図示のバスバー間を水分が流れる状態を示す正面図である。
【図５】図４に図示の断面図である。
【符号の説明】
１………………………………………バスバー回路板
２………………………………………絶縁基板
３，４…………………………………バスバー
５………………………………………リブ
１０……………………………………バスバー回路板
１１……………………………………絶縁基板
１２……………………………………第１のエリア
１３……………………………………第２のエリア
１４，１５……………………………バスバー
【図１】
2004104892.tif 000003
【図２】
2004104892.tif 000004
【図３】
2004104892.tif 000005
【図４】
2004104892.tif 000006
【図５】
2004104892.tif 000007